(57)【要約】  【課題】  管理情報ファイルとバックアップファイルとが共に傷などでＥＣＣエラー訂正ができなかったときでも、ＥＣＣエラー訂正が可能な機能を有する光ディスク記録再生装置を提供する。  【解決手段】  ＶＭＧＩとＶＭＧＩ＿ＢＵＰが共にＥＣＣエラー訂正できなく、ＶＭＧＩのＰＩが傷ついてＥＣＣエラー訂正できず、ＶＭＧＩ＿ＢＵＰの同じ部分のＰＩは無事である場合においては、ＶＭＧＩ＿ＢＵＰのＰＩをＶＭＧＩのＰＩとして使用してＥＣＣエラー訂正ができたとき、ＥＣＣエラー訂正できた部分を統合してＥＣＣエラー訂正ができたとき、あるいは統合してもＥＣＣエラー訂正できなかった部分はファイルサイズから推測してＥＣＣエラー訂正ができたとき、書き換え可能な光ディスクである場合は、正しい管理情報ファイルを元にあったアドレスとは違うアドレスに新たに書き込む。【選択図】      図４
2006147093.tif 000002
【特許請求の範囲】
【請求項１】
光ディスクに対して情報を記録／再生する光ディスク記録再生装置において、光ディス
クの管理情報ファイルと該ファイルのバックアップファイルとが共にＥＣＣエラー訂正で
きない場合、前記管理情報ファイルの行ＥＣＣエラー訂正情報が傷ついてＥＣＣエラー訂
正できず、前記バックアップファイルの同じ部分の行ＥＣＣエラー訂正情報は無事である
か否かを判定するエラー訂正情報判定手段と、前記行ＥＣＣエラー訂正情報は無事である
場合に前記バックアップファイルの行ＥＣＣエラー訂正情報を前記管理情報ファイルの行
ＥＣＣエラー訂正情報として使用してＥＣＣエラー訂正ができたか否かを判定する第１の
エラー訂正判定手段と、前記ＥＣＣエラー訂正ができなかった場合に、ＥＣＣエラー訂正
できない部分が判っており、且つその部分が前記管理情報ファイルと前記バックアップフ
ァイルで重複しないとき、ＥＣＣエラー訂正できた部分を統合して全てのＥＣＣエラー訂
正ができたか否かを判定する第２のエラー訂正判定手段と、前記統合してもＥＣＣエラー
訂正できなかった部分についても、とりあえずパディングを行い、このパディングを行っ
た部分についてもファイルサイズから推測してＥＣＣエラー訂正ができたか否かを判定す
る第３のエラー訂正判定手段と、前記第１，第２，第３のエラー訂正判定手段の何れかに
よりＥＣＣエラー訂正ができたと判定された場合で、光ディスクが書き換え可能な光ディ
スクの場合、正しい管理情報ファイルを元にあったアドレスとは違うアドレスに新たに書
き込むファイル書込み手段とを有するシステムコントローラを備えたことを特徴とする光
ディスク記録再生装置。
【請求項２】
光ディスクに対して情報を記録／再生する光ディスク記録再生装置において、光ディス
クの管理情報ファイルと該ファイルのバックアップファイルとが共にＥＣＣエラー訂正で
きない場合、前記２つのファイルのＥＣＣエラー訂正情報を統合して使用することにより
、ＥＣＣエラー訂正を行い、ＥＣＣエラー訂正できなくても、訂正できなかった部分につ
いては他の情報から推測してＥＣＣエラー訂正を行うシステムコントローラを備えたこと
を特徴とする光ディスク記録再生装置。
【請求項３】
前記他の情報とはファイルサイズであることを特徴とする請求項２に記載の光ディスク
記録再生装置。
【請求項４】
前記システムコントローラは、光ディスクの管理情報ファイルと該ファイルのバックア
ップファイルとが共にＥＣＣエラー訂正できない場合、前記管理情報ファイルの行ＥＣＣ
エラー訂正情報が傷ついてＥＣＣエラー訂正できず、前記バックアップファイルの同じ部
分の行ＥＣＣエラー訂正情報は無事であるか否かを判定するエラー訂正情報判定手段と、
前記行ＥＣＣエラー訂正情報は無事である場合に前記バックアップファイルの行ＥＣＣエ
ラー訂正情報を前記管理情報ファイルの行ＥＣＣエラー訂正情報として使用してＥＣＣエ
ラー訂正ができたか否かを判定する第１のエラー訂正判定手段と、前記ＥＣＣエラー訂正
ができなかった場合に、ＥＣＣエラー訂正できない部分が判っており、且つその部分が前
記管理情報ファイルと前記バックアップファイルで重複しないとき、ＥＣＣエラー訂正で
きた部分を統合して全てのＥＣＣエラー訂正ができたか否かを判定する第２のエラー訂正
判定手段と、前記統合してもＥＣＣエラー訂正できなかった部分についても、とりあえず
パディングを行い、このパディングを行った部分についてもファイルサイズから推測して
ＥＣＣエラー訂正ができたか否かを判定する第３のエラー訂正判定手段と、前記第１，第
２，第３のエラー訂正判定手段の何れかによりＥＣＣエラー訂正ができたと判定された場
合で、光ディスクが書き換え可能な光ディスクの場合、正しい管理情報ファイルを元にあ
ったアドレスとは違うアドレスに新たに書き込むファイル書込み手段とを有することを特
徴とする請求項２に記載の光ディスク記録再生装置。
【発明の詳細な説明】
【技術分野】
【０００１】
本発明は、光ディスクに対して情報の記録／再生を行う光ディスク記録再生装置に関し
、特に、光ディスクからのファイル管理情報の読み取り時のＥＣＣ（Error Checking and
Correction）エラー訂正の処理に関する。
【背景技術】
【０００２】
ＤＶＤ（Digital Versatile Disc）などの光ディスクは、傷や汚れなどによって再生時
にデータのエラーが発生し、記録データの読み取りが困難になる場合がある。そこで、従
来から光ディスク記録再生装置では、光ディスクの信頼性を向上させるため、装置内のデ
ジタル信号処理部でＥＣＣエラー訂正処理を行っている。
【０００３】
ところで、光ディスクの内周側には管理情報ファイル領域が形成されている。この管理
情報ファイル領域には、同心円状に管理情報ファイルが記録されている。管理情報ファイ
ルは、光ディスクのユーザ領域上に記録されているデータの記録や再生に必要とする情報
である。また、その管理情報ファイルが壊れた場合に備えてバックアップするバックアッ
プファイルが、バックアップ情報領域に記録されている。
【０００４】
例えばＤＶＤの管理情報ファイルはＶＭＧＩ（ＶＩＤＥＯ＿ＴＳ.ＩＦＯ）を有し、バ
ックアップファイルはＶＭＧＩ＿ＢＵＰ（ＶＩＤＥＯ＿ＴＳ.ＢＵＰ）を有している。Ｖ
ＭＧＩ（ＶＩＤＥＯ＿ＴＳ.ＩＦＯ）は、ＶＩＤＥＯ＿ＴＳ.ＩＦＯという名のファイルに
ビデオ管理情報であるＶＭＧＩが格納されていることを示す。ＶＭＧＩは、各制御情報の
位置情報などのＶＭＧＩ＿ＭＡＴ、タイトル検索用のＴＴ＿ＳＲＰＴ、タイトルのビデオ
属性やオーディオ属性などの情報が含まれている。ＶＭＧＩ＿ＢＵＰ（ＶＩＤＥＯ＿ＴＳ
.ＢＵＰ）は、ＶＩＤＥＯ＿ＴＳ.ＢＵＰという名のファイルにＶＭＧＩのバックアップデ
ータが格納されていることを示す。
【特許文献１】特開２００１−３５１３４２号公報
【特許文献２】特開２００３−２７２１４８号公報
【発明の開示】
【発明が解決しようとする課題】
【０００５】
従来の光ディスク記録再生装置では、光ディスクからの情報を再生する際、先ず、管理
情報ファイルを読み出しに行き、その管理情報ファイルのデータにエラーがあれば、ＥＣ
Ｃエラー訂正を行なおうとするが、その管理情報ファイルが傷付いていたり、あるいは汚
れていたりすると、ＥＣＣエラー訂正することができないので、次はバックアップファイ
ルを読み出しに行き、ＥＣＣエラー訂正を行なおうとするが、そのバックアップファイル
も傷付いていたり、あるいは汚れていたりすると、ＥＣＣエラー訂正することができず、
したがって、表示部にエラー表示を行い、そこで再生を終了してしまうという課題があっ
た。
【０００６】
なお、特許文献１の従来技術は、原本データのエラー値が所定の閾値より大きい場合、
バックアップ管理情報に基づき、バックアップデータにアクセスして再生し得るようにし
ているが、前述したような管理情報ファイル（管理情報）とバックアップファイル（バッ
クアップ管理情報）が共にＥＣＣエラー訂正することができない場合は、再生が終了する
ので、上記のような課題を解決できるものではない。
【０００７】
特許文献２の従来技術は、ファイル管理情報領域を再生し、エラーが発生すれば、新た
なファイル管理情報データに基づき、光ディスクを再生するようにしているが、新たなフ
ァイル管理情報データも傷付いている場合は再生が終了するので、上記のような課題を解
決できるものではない。
【０００８】
本発明は、上記のような課題を解決するためになされたもので、管理情報ファイルとバ
ックアップファイルとが共に傷などでＥＣＣエラー訂正ができなかったときでも、ＥＣＣ
エラー訂正が可能な機能を有する光ディスク記録再生装置を提供することを目的とする。
【課題を解決するための手段】
【０００９】
上記目的を達成するために、請求項１の発明は、光ディスクの管理情報ファイルと該フ
ァイルのバックアップファイルとが共にＥＣＣエラー訂正できない場合、前記管理情報フ
ァイルの行ＥＣＣエラー訂正情報が傷ついてＥＣＣエラー訂正できず、前記バックアップ
ファイルの同じ部分の行ＥＣＣエラー訂正情報は無事であるか否かを判定するエラー訂正
情報判定手段と、前記行ＥＣＣエラー訂正情報は無事である場合に前記バックアップファ
イルの行ＥＣＣエラー訂正情報を前記管理情報ファイルの行ＥＣＣエラー訂正情報として
使用してＥＣＣエラー訂正ができたか否かを判定する第１のエラー訂正判定手段と、前記
ＥＣＣエラー訂正ができなかった場合に、ＥＣＣエラー訂正できない部分が判っており、
且つその部分が前記管理情報ファイルと前記バックアップファイルで重複しないとき、Ｅ
ＣＣエラー訂正できた部分を統合して全てのＥＣＣエラー訂正ができたか否かを判定する
第２のエラー訂正判定手段と、前記統合してもＥＣＣエラー訂正できなかった部分につい
ても、とりあえずパディングを行い、このパディングを行った部分についてもファイルサ
イズから推測してＥＣＣエラー訂正ができたか否かを判定する第３のエラー訂正判定手段
と、前記第１，第２，第３のエラー訂正判定手段の何れかによりＥＣＣエラー訂正ができ
たと判定された場合で、書き換え可能な光ディスクの場合、正しい管理情報ファイルを元
にあったアドレスとは違うアドレスに新たに書き込むファイル書込み手段とを有するシス
テムコントローラを備えたことを特徴とする光ディスク記録再生装置を提供する。
【００１０】
この構成において、光ディスクの管理情報ファイルと該ファイルのバックアップファイ
ルとが共にＥＣＣエラー訂正できない場合で、前記管理情報ファイルの行ＥＣＣエラー訂
正情報が傷ついてＥＣＣエラー訂正できず、前記バックアップファイルの同じ部分の行Ｅ
ＣＣエラー訂正情報は無事である場合は、前記バックアップファイルの行ＥＣＣエラー訂
正情報を前記管理情報ファイルの行ＥＣＣエラー訂正情報として使用してＥＣＣエラー訂
正ができたか否かが判定される。
【００１１】
そして、ＥＣＣエラー訂正できない部分が判っており、且つその部分が前記管理情報フ
ァイルと前記バックアップファイルで重複しないとき、ＥＣＣエラー訂正できた部分を統
合して全てのＥＣＣエラー訂正ができたか否かが判定される。前記統合してもＥＣＣエラ
ー訂正できなかった部分についても、とりあえずパディングを行い、このパディングを行
った部分についてもファイルサイズから推測してＥＣＣエラー訂正ができたか否かが判定
される。前記何れかのＥＣＣエラー訂正ができたと判定されたときは、光ディスクが書き
換え可能な光ディスクの場合、正しい管理情報ファイルが元にあったアドレスとは違うア
ドレスに新たに書き込まれる。
【００１２】
この構成によれば、管理情報ファイルとバックアップファイルとが共に傷などでＥＣＣ
エラー訂正ができなかったときでも、これらのファイルのＥＣＣ情報を統合して使用する
ことにより、より正確にＥＣＣエラー訂正を行うことができ、また、ＥＣＣエラー訂正が
できなくても、訂正できなかった部分についてはファイルサイズから推測してＥＣＣエラ
ー訂正する。したがって、管理情報ファイルとバックアップファイルとが共に傷や汚れが
あっても、管理情報を正確に取得する確率が高くなる。また、光ディスクがＤＶＤ−ＲＷ
などの書き換え可能な光ディスクの場合は、改めて正確な管理情報を書き込むことによっ
て、他のＤＶＤプレイヤなどの光ディスク再生装置でも再生可能になる。
【００１３】
請求項２の発明は、光ディスクの管理情報ファイルと該ファイルのバックアップファイ
ルとが共にＥＣＣエラー訂正できない場合、前記２つのファイルのＥＣＣエラー訂正情報
を統合して使用することにより、ＥＣＣエラー訂正を行い、ＥＣＣエラー訂正できなくて
も、訂正できなかった部分については他の情報から推測してＥＣＣエラー訂正を行うシス
テムコントローラを備えたことを特徴とする光ディスク記録再生装置を提供する。
【００１４】
この構成において、光ディスクの管理情報ファイルと該ファイルのバックアップファイ
ルとが共にＥＣＣエラー訂正できない場合、前記２つのファイルのＥＣＣエラー訂正情報
を統合して使用することにより、ＥＣＣエラー訂正が行われ、ＥＣＣエラー訂正できなく
ても、訂正できなかった部分については他の情報から推測してＥＣＣエラー訂正が行われ
る。
【００１５】
この構成によれば、管理情報ファイルとバックアップファイルとが共に傷などでＥＣＣ
エラー訂正ができなかったときでも、これらのファイルのＥＣＣ情報を統合して使用する
ことにより、より正確にＥＣＣエラー訂正を行うことができ、また、ＥＣＣエラー訂正が
できなくても、訂正できなかった部分についてはファイルサイズから推測してＥＣＣエラ
ー訂正する。したがって、管理情報ファイルとバックアップファイルとが共に傷や汚れが
あっても、管理情報を正確に取得する確率が高くなる。また、光ディスクがＤＶＤ−ＲＷ
などの書き換え可能な光ディスクの場合は、改めて正確な管理情報を書き込むことによっ
て、他のＤＶＤプレイヤなどの光ディスク再生装置でも再生可能になる。
【００１６】
請求項３の発明では、請求項２の発明において、前記他の情報とはファイルサイズであ
るので、このファイルサイズから推測してＥＣＣエラー訂正が可能になる。
【００１７】
請求項４の発明では、請求項２の発明において、前記システムコントローラは、光ディ
スクの管理情報ファイルと該ファイルのバックアップファイルとが共にＥＣＣエラー訂正
できない場合、前記管理情報ファイルの行ＥＣＣエラー訂正情報が傷ついてＥＣＣエラー
訂正できず、前記バックアップファイルの同じ部分の行ＥＣＣエラー訂正情報は無事であ
るか否かを判定するエラー訂正情報判定手段と、前記行ＥＣＣエラー訂正情報は無事であ
る場合に前記バックアップファイルの行ＥＣＣエラー訂正情報を前記管理情報ファイルの
行ＥＣＣエラー訂正情報として使用してＥＣＣエラー訂正ができたか否かを判定する第１
のエラー訂正判定手段と、前記ＥＣＣエラー訂正ができなかった場合に、ＥＣＣエラー訂
正できない部分が判っており、且つその部分が前記管理情報ファイルと前記バックアップ
ファイルで重複しないとき、ＥＣＣエラー訂正できた部分を統合して全てのＥＣＣエラー
訂正ができたか否かを判定する第２のエラー訂正判定手段と、前記統合してもＥＣＣエラ
ー訂正できなかった部分はファイルサイズから推測してＥＣＣエラー訂正ができたか否か
を判定する第３のエラー訂正判定手段と、前記第１，第２，第３のエラー訂正判定手段の
何れかによりＥＣＣエラー訂正ができたと判定された場合で、書き換え可能な光ディスク
の場合、正しい管理情報ファイルを元にあったアドレスとは違うアドレスに新たに書き込
むファイル書込み手段とを有するので、管理情報ファイルとバックアップファイルとが共
に傷や汚れがあっても、管理情報を正確に取得する確率が高くすることができ、また、改
めて正確な管理情報を書き込むことが可能になる。
【発明の効果】
【００１８】
以上のように本発明によれば、光ディスクの管理情報ファイルと該ファイルのバックア
ップファイルとが共にＥＣＣエラー訂正できない場合、前記管理情報ファイルの行ＥＣＣ
エラー訂正情報が傷ついてＥＣＣエラー訂正できず、前記バックアップファイルの同じ部
分の行ＥＣＣエラー訂正情報は無事であるか否かを判定するエラー訂正情報判定手段と、
前記行ＥＣＣエラー訂正情報は無事である場合に前記バックアップファイルの行ＥＣＣエ
ラー訂正情報を前記管理情報ファイルの行ＥＣＣエラー訂正情報として使用してＥＣＣエ
ラー訂正ができたか否かを判定する第１のエラー訂正判定手段と、前記ＥＣＣエラー訂正
ができなかった場合に、ＥＣＣエラー訂正できない部分が判っており、且つその部分が前
記管理情報ファイルと前記バックアップファイルで重複しないとき、ＥＣＣエラー訂正で
きた部分を統合して全てのＥＣＣエラー訂正ができたか否かを判定する第２のエラー訂正
判定手段と、前記統合してもＥＣＣエラー訂正できなかった部分についても、とりあえず
パディングを行い、このパディングを行った部分についてもファイルサイズから推測して
ＥＣＣエラー訂正ができたか否かを判定する第３のエラー訂正判定手段と、前記第１，第
２，第３のエラー訂正判定手段の何れかによりＥＣＣエラー訂正ができたと判定された場
合で、書き換え可能な光ディスクの場合、正しい管理情報ファイルを元にあったアドレス
とは違うアドレスに新たに書き込むファイル書込み手段とを有するシステムコントローラ
を備えたので、管理情報ファイルとバックアップファイルとが共に傷などでＥＣＣエラー
訂正ができなかったときでも、より正確にＥＣＣエラー訂正を行うことができ、また、Ｅ
ＣＣエラー訂正ができなくても、訂正できなかった部分についてはファイルサイズから推
測してＥＣＣエラー訂正する。
【００１９】
したがって、管理情報ファイルとバックアップファイルとが共に傷や汚れがあっても、
管理情報を正確に取得する確率が高くなる。また、光ディスクがＤＶＤ−ＲＷなどの書き
換え可能な光ディスクの場合は、改めて正確な管理情報を書き込むことによって、他のＤ
ＶＤプレイヤなどの光ディスク再生装置でも再生可能になる。
【００２０】
また、本発明によれば、光ディスクの管理情報ファイルと該ファイルのバックアップフ
ァイルとが共にＥＣＣエラー訂正できない場合、前記２つのファイルのＥＣＣエラー訂正
情報を統合して使用することにより、ＥＣＣエラー訂正を行い、ＥＣＣエラー訂正できな
くても、訂正できなかった部分については他の情報から推測してＥＣＣエラー訂正を行う
システムコントローラを備えたので、管理情報ファイルとバックアップファイルとが共に
傷などでＥＣＣエラー訂正ができなかったときでも、より正確にＥＣＣエラー訂正を行う
ことができ、また、ＥＣＣエラー訂正ができなくても、訂正できなかった部分については
ファイルサイズから推測してＥＣＣエラー訂正する。したがって、管理情報ファイルとバ
ックアップファイルとが共に傷や汚れがあっても、管理情報を正確に取得する確率が高く
なる。また、光ディスクがＤＶＤ−ＲＷなどの書き換え可能な光ディスクの場合は、改め
て正確な管理情報を書き込むことによって、他のＤＶＤプレイヤなどの光ディスク再生装
置でも再生可能になる。
【発明を実施するための最良の形態】
【００２１】
以下、添付図面を参照しつつ、本発明の実施の形態について説明する。図１は本発明の
一実施形態に係る光ディスク記録再生装置の構成を示すブロック図である。
【００２２】
この光ディスク記録再生装置は、光ディスク１を回転させるスピンドルモータ５と、光
ディスク１に対して情報の記録／再生を行うためのレーザ光を出射すると共に光ディスク
１からの反射光を受光する光ピックアップ２と、この光ピックアップ２を光ディスク１の
半径方向に移動させるためのスレッド３と、システムコントローラ２２の指示に応じてス
ピンドルモータ５およびスレッド３を駆動すると共に光ピックアップ２に内蔵された対物
レンズ（図示せず）を動かすことによりレーザ光の焦点位置を光ディスク１の記録面に対
して垂直方向および水平方向に移動させる制御を行うサーボ制御部４とを備えている。
【００２３】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理とＥＣＣエラー訂正処理を行って生成したデータをＲＡＭ７に格納するデジタ
ル信号処理部８と、システムコントローラ２２の指示に応じてデジタル信号処理部８から
出力されたデータストリームの中からオーディオデータとサブピクチャデータとビデオデ
ータとを分離するストリーム分離部９とを備えている。
【００２４】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００２５】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２６】
また、この光ディスク記録再生装置は、システムコントローラ２２に対して赤外線信号
により、再生指示を与えるための再生キー、再生停止を指示するための停止キー、記録指
示を与えるための記録キー、および電源キーなどの各種操作キーを有するリモコン２１と
、装置全体を制御する前記システムコントローラ２２とを備えている。
【００２７】
また、この光ディスク記録再生装置は、装置の各構成要素を制御したり、装置全体を制
御したりするためのプログラムやデータが記憶されたフラッシュＲＯＭ２３と、このフラ
ッシュＲＯＭ２３のプログラムやデータに従って演算処理を行いシステムコントローラ２
２を制御するＣＰＵ２４と、このＣＰＵ２４の処理に必要なデータを一時的に格納するＲ
ＡＭ２７とを備えている。
【００２８】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００２９】
システムコントローラ２２には、本実施形態の特徴とする構成要素として、光ディスク
１の管理情報ファイルと該ファイルのバックアップファイルとが共にＥＣＣエラー訂正で
きない場合、前記管理情報ファイルの行ＥＣＣエラー訂正情報が傷ついてＥＣＣエラー訂
正できず、前記バックアップファイルの同じ部分の行ＥＣＣエラー訂正情報は無事である
か否かを判定するエラー訂正情報判定手段２２１と、前記行ＥＣＣエラー訂正情報は無事
である場合に前記バックアップファイルの行ＥＣＣエラー訂正情報を前記管理情報ファイ
ルの行ＥＣＣエラー訂正情報として使用してＥＣＣエラー訂正ができたか否かを判定する
第１のエラー訂正判定手段２２２とを有する。
【００３０】
また、システムコントローラ２２は、前記ＥＣＣエラー訂正ができなかった場合に、Ｅ
ＣＣエラー訂正できない部分が判っており、且つその部分が前記管理情報ファイルと前記
バックアップファイルで重複しないとき、ＥＣＣエラー訂正できた部分を統合して全ての
ＥＣＣエラー訂正ができたか否かを判定する第２のエラー訂正判定手段２２３と、前記統
合してもＥＣＣエラー訂正できなかった部分についても、とりあえずパディングを行い、
このパディングを行った部分についてもファイルサイズから推測してＥＣＣエラー訂正が
できたか否かを判定する第３のエラー訂正判定手段２２４と、前記第１，第２，第３のエ
ラー訂正判定手段２２２，２２３，２２４の何れかによりＥＣＣエラー訂正ができたと判
定された場合で、光ディスク１が書き換え可能な光ディスク（ＤＶＤ−ＲＷ）の場合、正
しい管理情報ファイルを元にあったアドレスとは違うアドレスに新たに書き込むファイル
書込み手段２２５とを有する。
【００３１】
図２は本実施形態におけるビデオマネージャ（ＶＭＧ）のデータ構造を示す図である。
ビデオマネージャ（ＶＭＧ）は、ビデオマネージャ情報（ＶＭＧＩ）と、ビデオマネージ
ャ情報メニュー用ビデオオブジェクトセット（ＶＭＧＭ＿ＶＯＢＳ）と、ビデオマネージ
ャ情報のバックアップ（ＶＭＧＩ＿ＢＵＰ）とから構成されている。ビデオマネージャ情
報（ＶＭＧＩ）は、ビデオ管理情報管理テーブル（ＶＭＧＩ＿ＭＡＴ）とタイトルサーチ
ポインタテーブル（ＴＴ＿ＳＲＰＴ）とビデオタイトルセット属性テーブル（ＶＴＳ＿Ａ
ＴＲＴ）とから構成されている。
【００３２】
図３は本実施形態におけるＶＭＧＩ＿ＭＡＴの内容を示す図である。この図３に示すよ
うに、ＶＭＧ＿ＩＤはＶＭＧ情報であることの識別子である。ＶＭＧＩ＿ＳＺはＶＭＧＩ
のサイズである。ＶＥＲＮはＤＶＤ規格のバージョン番号である。ＶＭＧ＿ＣＡＴはビデ
オマネージャカテゴリであり、例えば、コピー禁止であるかどうかのフラグなどが記述さ
れる。ＶＬＭＳ＿ＩＤはボリュームセットの識別子である。ＶＴＳ＿ＮｓはＶＴＳの数で
ある。ＰＶＲ＿ＩＤはデータ供給者の識別子である。ＶＭＧＭ＿ＶＯＢＳ＿ＳＡはＶＭＧ
Ｍ＿ＶＯＢＳの開始アドレスである。ＶＭＧＩ＿ＭＡＴ＿ＥＡはＶＭＧＩ＿ＭＡＴの終了
アドレスである。ＴＴ＿ＳＲＰＴ＿ＳＡはＴＴ＿ＳＲＰＴの開始アドレスである。
【００３３】
ＶＴＳ＿ＡＴＲＴ＿ＳＡはＶＴＳ＿ＡＴＲＴの開始アドレスである。ＶＭＧＭ＿Ｖ＿Ａ
ＴＲ，ＶＭＧＭ＿ＡＳＴ＿Ｎｓ，ＶＭＧＭ＿ＡＳＴ＿ＡＴＲ，ＶＭＧＭ＿ＳＰＳＴ＿Ｎｓ
およびＶＭＧＭ＿ＳＰＳＴ＿ＡＴＲのそれぞれは、ＶＭＧＭのビデオ属性，オーディオス
トリーム数，オーディオストリーム属性，副映像ストリーム数および副映像ストリーム属
性である。
【００３４】
図４は本実施形態において光ディスクからのファイル管理情報の読み取り時のＥＣＣエ
ラー訂正の処理を説明するためのフローチャートである。このフローチャートを参照して
光ディスクからのファイル管理情報の読み取り時のＥＣＣエラー訂正の処理について説明
する。
【００３５】
この光ディスク記録再生装置は、光ディスク１からの情報を再生する際、先ず、光ディ
スク１から管理情報ファイルを読み出しに行き、その管理情報ファイルのデータにエラー
があれば、デジタル信号処理部８においてＥＣＣエラー訂正を行なおうとするが、その管
理情報ファイルが傷付いていたり、あるいは汚れていたりすると、ＥＣＣエラー訂正する
ことができないので、次はバックアップファイルを読み出しに行き、ＥＣＣエラー訂正を
行なおうとするが、そのバックアップファイルも傷付いていたり、あるいは汚れていたり
すると、ＥＣＣエラー訂正することができない。
【００３６】
即ち管理情報ファイルに含まれるＶＭＧＩ（ＶＩＤＥＯ＿ＴＳ.ＩＦＯ）とバックアッ
プファイルに含まれるＶＭＧＩ＿ＢＵＰ（ＶＩＤＥＯ＿ＴＳ.ＢＵＰ）が共にＥＣＣエラ
ー訂正できない場合（ステップＳ１）、システムコントローラ２２のエラー訂正情報判定
手段２２１は、ＶＭＧＩのＰＩ（行ＥＣＣエラー訂正情報）が傷ついてＥＣＣエラー訂正
できず、ＶＭＧＩ＿ＢＵＰの同じ部分のＰＩは無事であるか否かを判定する（ステップＳ
２）。
【００３７】
ＰＩは無事である場合、第１のエラー訂正判定手段２２２は、ＶＭＧＩ＿ＢＵＰのＰＩ
をＶＭＧＩのＰＩとして使用してＥＣＣエラー訂正ができたか否かを判定する（ステップ
Ｓ３）。このＥＣＣエラー訂正ができなかった場合、第２のエラー訂正判定手段２２３は
、ＥＣＣエラー訂正できない部分が判っており、且つその部分がＶＭＧＩとＶＭＧＩ＿Ｂ
ＵＰで重複しないとき、ＥＣＣエラー訂正できた部分を統合して全てのＥＣＣエラー訂正
ができたか否かを判定する（ステップＳ４）。
【００３８】
第３のエラー訂正判定手段２２４は、前記統合してもＥＣＣエラー訂正できなかった部
分についても、とりあえずパディングを行い（空白にし）、このパディングを行った部分
についてもファイルサイズ（ＶＭＧＩ＿ＳＺ）から推測してＥＣＣエラー訂正ができたか
否かを判定する（ステップＳ５）。例えば、ＶＭＧＩ＿ＭＡＴ内のＶＭＧ＿ＥＡ（図３で
はＶＭＧＩ＿ＭＡＴ＿ＥＡに相当）は、ＵＤＦ（Universal Disc Format）に書かれてい
るファイルサイズ（図３ではＶＭＧＩ＿ＳＺに相当）から推測することができる。
【００３９】
ステップＳ３，Ｓ４，Ｓ５の何れかのＥＣＣエラー訂正ができたと判定されたときは、
光ディスク１が書き換え可能な光ディスクである場合（ステップＳ６）、ファイル書込み
手段２２５は、正しい管理情報ファイルが元にあったアドレスとは違うアドレスに新たに
書き込み（ステップＳ７）、本処理を終える。
【００４０】
ステップＳ２において、ＶＭＧＩのＰＩ（行ＥＣＣエラー訂正情報）が傷ついてＥＣＣ
エラー訂正できず、ＶＭＧＩ＿ＢＵＰの同じ部分のＰＩは無事で無い場合は、ステップＳ
４の処理に移る。ステップＳ５において、前記統合してもＥＣＣエラー訂正できなかった
部分は、ファイルサイズ（ＶＭＧＩ＿ＳＺ）から推測してもＥＣＣエラー訂正ができなか
った場合は、ＥＣＣエラー訂正できずに（ステップＳ８）に本処理を終える。
【００４１】
以上のように本実施形態によれば、管理情報ファイルとバックアップファイルとが共に
傷などでＥＣＣエラー訂正ができなかったときでも、これらのファイルのＥＣＣ情報を統
合して使用することにより、より正確にＥＣＣエラー訂正を行うことができ、また、ＥＣ
Ｃエラー訂正ができなくても、訂正できなかった部分についてはファイルサイズから推測
してＥＣＣエラー訂正する。したがって、管理情報ファイルとバックアップファイルとが
共に傷や汚れがあっても、管理情報を正確に取得する確率が高くなる。また、ＤＶＤ−Ｒ
Ｗなどの書き換え可能な光ディスクの場合は、改めて正確な管理情報を書き込むことによ
って、他のＤＶＤプレイヤなどの光ディスク再生装置でも再生可能になる。
【図面の簡単な説明】
【００４２】
【図１】本発明の一実施形態に係る光ディスク記録再生装置の構成を示すブロック図である。
【図２】前記実施形態におけるビデオマネージャ（ＶＭＧ）のデータ構造を示す図である。
【図３】前記実施形態におけるＶＭＧＩ＿ＭＡＴの内容を示す図である。
【図４】前記実施形態において光ディスクからのファイル管理情報の読み取り時のＥＣＣエラー訂正の処理を説明するためのフローチャートである。
【符号の説明】
【００４３】
１    光ディスク
２２    システムコントローラ
２２１    エラー訂正情報判定手段
２２２    第１のエラー訂正判定手段
２２３    第２のエラー訂正判定手段
２２４    第３のエラー訂正判定手段
２２５    ファイル書込み手段
【図１】
2006147093.tif 000003
【図２】
2006147093.tif 000004
【図３】
2006147093.tif 000005
【図４】
2006147093.tif 000006